(57)【特許請求の範囲】
【請求項１】
凹部空間及び高さのある側面を有する箱状に形成された上側部材と下側部材を備え、
前記上側部材と前記下側部材が、互いの凹部空間を連通させるように上下に組み合わされて、内部に内部空間が形成されたフロアパネルにおいて、
前記フロアパネルは、前記上側部材と前記下側部材の側面の高さ先端部同士が結合された結合部を有し、
前記結合部は、前記フロアパネルの側面の高さ途中部に配置され、かつ前記フロアパネルの高さ両端側の側面よりも前記フロアパネルの内側に引っ込んだ位置に配置され、
前記上側部材は、その側面の下端部側に、その側面の上端部側よりも前記フロアパネルの内側に引っ込んで形成された上側凹部を有し、
前記下側部材は、その側面の上端部側に、その側面の下端部側よりも前記フロアパネルの内側に引っ込んで形成された下側凹部を有し、
前記上側凹部の下端部側に形成された上側周縁部と、前記下側凹部の上端部側に形成された下側周縁部が、互いを包み込むように折り曲げられることにより前記結合部が形成された
ことを特徴とするフロアパネル。
【請求項２】
前記上側部材と前記下側部材は、前記フロアパネルの側面の高さ中央部において結合された
ことを特徴とする請求項１に記載のフロアパネル。
【請求項３】
前記上側部材と前記下側部材の間に形成された前記内部空間に補強部材が設けられた
ことを特徴とする請求項１又は２に記載のフロアパネル。
【発明の詳細な説明】
【技術分野】
【０００１】
本発明は、フリーアクセスフロアに用いられるフロアパネルに関するものである。
【背景技術】
【０００２】
本発明のフロアパネルは、フリーアクセスフロアに用いられるものである。フリーアクセスフロアのフロアパネルは、建築構造物の一部を構成するコンクリート材等により形成された基礎床面の上方に、空間を隔てて設けられるものである（例えば、特許文献１参照）。【０００３】
図８から図１１は、従来のフロアパネル２について説明するために参照する図である。従来のフロアパネル２は、図８に示すように、基礎床面３上に立設する支持脚４と共に、フリーアクセスフロア１を構成していた。【０００４】
フロアパネル２は、基礎床面３から上方に空間を隔てた高さの水平面上に、上から見て縦横二軸両方向に互いに隣接して配置されており、フロアパネル２の四隅部が基礎床面３上に立設された支持脚４に着脱可能に支持されていた。【０００５】
フロアパネル２は、図９，１１に示すように、主に上面６ｃが略正方形の平板状に形成された天板６と、上面６ｃと同様な略正方形の底面８ｃを有すると共に深さを有する箱状に形成された底板８を、図１０に示すように天板部６ａと底板部８ａが互いに対向するよう上下に組み合わせて構成されていた。これらの天板６と底板８は、共に鋼板材を用いて構成されていた。【０００６】
フロアパネル２の底板８には、図１１に示すように、その底板部８ａがその周縁部から図中上方に向かって略垂直に折り曲げられた側板部８ｂが形成されると共に、この側板部８ｂの上端部には図中右側に向かって略垂直に折り曲げられた周縁部８ｆが形成されていた。このため、底板８は、側板部８ｂの水平方向内側に形成された凹部空間８ｄを有する箱状に形成されていた。【０００７】
そして、天板６の周縁部６ｆにおいて、底板８の周縁部８ｆを包み込むようにＵ字状に折り曲げられたＵ字状部６ｂが形成されることにより、天板６の周縁部６ｆと、底板８の周縁部８ｆは結合されていた。【０００８】
このように、天板６と底板８が一体的に結合されることにより、フロアパネル２は内部空間１０を有する中空状に形成されていた。そして、この内部空間１０には厚さを有する補強部材１２が設けられていた。【０００９】
しかしながら、底板８は、プレスを用いて板状部材を深絞り加工することにより、その深さ方向（図１１中上下方向）に底板８を伸ばすような引張力が加えられるため、その板厚が薄くなると、底板８の側板部８ｂ等に亀裂や破壊が容易に生じるおそれがあるという問題があった。【００１０】
図９、図１２から図１４は、従来のフロアパネル２０について説明するために参照する図である。従来のフロアパネル２０は、図９に示すように、主に上面２６ｃが略正方形の箱状に形成された天板２６と、上面２６ｃに対応する底面２８ｃが略正方形の箱状に形成された底板２８を、図１２に示すように上下に組み合わせて構成されていた。【００１１】
フロアパネル２０の天板２６には、図１３に示すように、その天板部２６ａがその周縁部から図中下方に向かって略垂直に折り曲げられた側板部２６ｂが形成されており、フロアパネル２０の底板２８には、その底板部２８ａがその周縁部から図中上方に向かって略垂直に折り曲げられた側板部２８ｂが形成されていた。【００１２】
このため、天板２６は、側板部２６ｂの水平方向内側に形成された凹部空間２６ｄを有する箱状に形成されていた。また、底板２８も同様に、側板部２８ｂの水平方向内側に形成された凹部空間２８ｄを有する箱状に形成されていた。【００１３】
そして、フロアパネル２０は、天板２６と底板２８の凹部空間２６ｄ，２８ｄ同士を連通させるように配置して、天板２６の側板部２６ｂの下端部側に形成された周縁部２６ｊと、底板２８の側板部２８ｂの上端部側に形成された周縁部２８ｊが、互いの先端部を包み込むようにＵ字状に折り曲げ加工されることにより、フロアパネル２０の図１３中上下方向略中央部の結合部２５において結合されていた。【００１４】
このように、天板２６と底板２８が、結合部２５において一体的に結合されることにより、フロアパネル２０は内部空間３０を有する中空状に形成されていた。そして、この内部空間３０には厚さを有する補強部材３２が設けられていた。【００１５】
このように、天板２６の凹部空間２６ｄと、底板２８の凹部空間２８ｄの深さを、前記フロアパネル２における底板８の凹部空間８ｄの深さの略半分にすることができるので、その分それらの側板部２６ｂ，２８ｂが深絞り加工により伸ばされる高さの寸法を、底板８の側板部８ｂが深絞り加工により伸ばされる高さの寸法よりも小さくすることができていた。【００１６】
このため、天板２６と底板２８の深絞り加工の際に加えられる引張力を低減させることができるため、天板２６と底板２８の板厚を薄くしても、それらの成形加工時に亀裂や破壊が容易に生じるのを防止することができていた。
【先行技術文献】
【特許文献】
【００１７】
【特許文献１】特開２００９−１４４３７８号公報
【発明の概要】
【発明が解決しようとする課題】
【００１８】
しかしながら、この従来のフロアパネル２０においては、図１４に示すように、天板２６と底板２８を結合する結合部２５が、天板２６の側板部２６ｂより水平方向外側（同図中右側）に突出し、フロアパネル２０の寸法精度を低くするという問題があった。【００１９】
すなわち、前述のように、結合部２５において、天板２６の側板部２６ｂの下端部側に形成された周縁部２６ｊと、底板２８の側板部２８ｂの上端部側に形成された周縁部２８ｊが、互いの先端部を包み込むようにＵ字状に折り曲げ加工されていた（図１３参照）。【００２０】
そして、結合部２５は、側板部２６ｂ，２８ｂに対して略平行に折り畳まれて、側板部２６ｂよりも水平方向外側に突出しないように図１３中左側に押圧されていたが、その後の周縁部２６ｊ，２８ｊの弾性変形により、図１４に示すように、結合部２５が側板部２６ｂの外周面（図中右側の面）より水平方向外側（同図中右側）に突出する場合があった。【００２１】
したがって、結合部２５が、天板２６の側板部２６ｂの外周面より水平方向外側に突出することにより、フロアパネル２０の側面部の寸法精度が低くなり、隣接して配置される他のフロアパネル２０等と干渉する場合があった。【００２２】
また、結合部２５が、天板２６の側板部２６ｂの外周面より水平方向外側に突出した場合には、突出した結合部２５がフロアパネル２０の設置作業時や、その後のメンテナンス作業時に他部材や作業者等に引っ掛かり、その作業性が低下するという問題があった。【００２３】
そこで本発明は、上記問題点に鑑みて、その成形加工時に亀裂や破壊が容易に生じるのを防止することができると共に、その寸法精度及び作業性を向上することができるフロアパネルを提供することを課題とするものである。
【課題を解決するための手段】
【００２４】
上記課題を解決するために、本発明によるフロアパネルは、
凹部空間及び高さのある側面を有する箱状に形成された上側部材と下側部材を備え、
前記上側部材と前記下側部材が、互いの凹部空間を連通させるように上下に組み合わされて、内部に内部空間が形成されたフロアパネルにおいて、
前記フロアパネルは、前記上側部材と前記下側部材の側面の高さ先端部同士が結合された結合部を有し、
前記結合部は、前記フロアパネルの側面の高さ途中部に配置され、かつ前記フロアパネルの高さ両端側の側面よりも前記フロアパネルの内側に引っ込んだ位置に配置され、
前記上側部材は、その側面の下端部側に、その側面の上端部側よりも前記フロアパネルの内側に引っ込んで形成された上側凹部を有し、
前記下側部材は、その側面の上端部側に、その側面の下端部側よりも前記フロアパネルの内側に引っ込んで形成された下側凹部を有し、
前記上側凹部の下端部側に形成された上側周縁部と、前記下側凹部の上端部側に形成された下側周縁部が、互いを包み込むように折り曲げられることにより前記結合部が形成されたことを特徴とするものである。
【００２６】
また、本発明によるフロアパネルは、
前記上側部材と前記下側部材は、前記フロアパネルの側面の高さ中央部において結合されたことを特徴とするものである。【００２７】
また、本発明によるフロアパネルは、
前記上側部材と前記下側部材の間に形成された前記内部空間に補強部材が設けられたことを特徴とするものである。
【発明の効果】
【００２８】
このような本発明のフロアパネルによれば、
凹部空間及び高さのある側面を有する箱状に形成された上側部材と下側部材を備え、
前記上側部材と前記下側部材が、互いの凹部空間を連通させるように上下に組み合わされて、内部に内部空間が形成されたフロアパネルにおいて、
前記フロアパネルは、前記上側部材と前記下側部材の側面の高さ先端部同士が互いを包み込むように折り曲げられて結合された結合部を有し、
前記結合部は、前記フロアパネルの側面の高さ途中部に配置され、かつ前記フロアパネルの高さ両端側の側面よりも前記フロアパネルの内側に引っ込んだ位置に配置されたことにより、
その成形加工時に亀裂や破壊が容易に生じるのを防止することができると共に、その寸法精度及び作業性を向上することができる。
【図面の簡単な説明】
【００２９】
【図１】本発明の一実施の形態に係るフロアパネル４０の上面図である。
【図２】図１に示すフロアパネル４０の底面図である。
【図３】図１に示すフロアパネル４０の概略を示す側面図である。
【図４】図１に示すフロアパネル４０のＡ−Ａ線矢視断面図である。
【図５】図１に示すフロアパネル４０のＢ−Ｂ線矢視断面図である。
【図６】図１に示すフロアパネル４０のＣ−Ｃ線矢視断面図である。
【図７】図１に示すフロアパネル４０と、このフロアパネル４０を支持する支持脚４２とにより構成されたフリーアクセスフロア４１を示す部分側面図である。
【図８】従来のフロアパネル２と、このフロアパネル２を支持する支持脚４とにより構成された従来のフリーアクセスフロア１を示す部分斜視図である。
【図９】従来のフロアパネル２，２０の上面図である。
【図１０】図９に示すフロアパネル２の概略を示す側面図である。
【図１１】図９に示すフロアパネル２のＤ−Ｄ線矢視断面図である。
【図１２】図９に示すフロアパネル２０の概略を示す側面図である。
【図１３】図９に示すフロアパネル２０のＤ−Ｄ線矢視断面図である。
【図１４】図９に示すフロアパネル２０のＤ−Ｄ線矢視断面図で、図１３の状態からその後、結合部２５がフロアパネル２０の水平方向外側に突出した状態を示す図である。
【発明を実施するための形態】
【００３０】
以下、本発明に係るフロアパネルを実施するための形態について、図面に基づいて具体的に説明する。
図１から図７は、本発明の一実施の形態に係るフロアパネル４０について説明するために参照する図である。
【００３１】
本実施の形態に係るフロアパネル４０は、図１，２に示すように、主に上面４４ｃが略正方形に形成された天板４４（上側部材）と、上面４４ｃに対応する底面４６ｃが略正方形に形成された底板４６（下側部材）を、図３に示すように上下から組み合わせることにより構成されている。
【００３２】
これらの天板４４と底板４６は、例えば、ＳＧＣＣ等の鋼板材を用いてプレス絞り加工により形成されている。そして、天板４４と底板４６は、図４のように、上下に組み合わされて、フロアパネル４０の側面の高さ中央部の結合部４５において結合されている。
【００３３】
フロアパネル４０の天板４４には、図４に示すように、その天板部４４ａがその周縁部から同図中下方に向かって略垂直に折り曲げられた側板部４４ｂが形成され、側板部４４ｂの下端部からフロアパネル４０の内側方向（図中左方向）に向かって所定の角度で傾斜する傾斜面を有する接続部４４ｍが形成されている。
【００３４】
そして、天板４４には、その接続部４４ｍの下端部から、図４中下方に向かって側板部４４ｂに対して略平行になるように伸びる凹部４４ｋ（上側凹部）が形成され、この凹部４４ｋの下方の先端部から複数回Ｕ字状に折り曲げ加工された周縁部４４ｊ（上側周縁部）が形成されている。
【００３５】
また、フロアパネル４０の底板４６には、図４に示すように、その底板部４６ａがその周縁部から、同図中上方に向かって略垂直に折り曲げられた側板部４６ｂが形成され、側板部４６ｂがその上端部からフロアパネル４０の内側方向（図中左方向）に向かって所定の角度で傾斜する傾斜面を有する接続部４６ｍが形成されている。
【００３６】
また、底板４６には、その接続部４６ｍの上端部から、図４に示すように、図中上方に向かって側板部４６ｂに対して略平行になるように伸びる凹部４６ｋ（下側凹部）が形成され、この凹部４６ｋの上方の先端部からＵ字状に折り曲げ加工された周縁部４６ｊ（下側周縁部）が形成されている。
【００３７】
このため、天板４４は、側板部４４ｂ，接続部４４ｍ，凹部４４ｋ，周縁部４４ｊの水平方向内側、かつ高さ方向に渡って形成された凹部空間４４ｄを有する箱状に形成されている。また、底板４６も同様に、側板部４６ｂ，接続部４６ｍ，凹部４６ｋ，周縁部４６ｊの水平方向内側、かつ高さ方向に渡って形成された凹部空間４６ｄを有する箱状に形成されている。
【００３８】
そして、天板４４と底板４６は、図４に示すように、天板４４と底板４６の凹部空間４４ｄ，４６ｄ同士を連通させるように配置されている。
【００３９】
また、図４に示すように、天板４４の周縁部４４ｊと、底板４６の周縁部４６ｊが、互いを包み込むように、かつ側板部４４ｂ，４６ｂに対して略平行になるように、Ｕ字状に折り曲げ加工されていることにより、天板４４と底板４６は、フロアパネル４０の図４中上下方向略中央部の結合部４５において結合されている。
【００４０】
このように、天板４４の凹部空間４４ｄと、底板４６の凹部空間４６ｄの深さを、従来のフロアパネル２における底板８の凹部空間８ｄの深さの略半分にすることができるので、その分それらの側板部４４ｂ，４６ｂが深絞り加工により伸ばされる高さの寸法を、フロアパネル２の底板８の側板部８ｂが深絞り加工により伸ばされる高さの寸法よりも小さくすることができる。
【００４１】
したがって、天板４４と底板４６の深絞り加工の際に加えられる引張力を低減させることができるため、天板４４と底板４６の板厚を薄くしても、それらの成形加工時に亀裂や破壊が容易に生じるのを防止することができる。
【００４２】
また、天板４４の周縁部４４ｊと、底板４６の周縁部４６ｊを折り曲げ加工することにより形成された結合部４５は、天板４４の凹部４４ｋ（図４参照）に当接するように、フロアパネル４０の内側（図４中左側）に向けて押圧される。
【００４３】
天板４４の凹部４４ｋは、側板部４４ｂよりもフロアパネル４０の内側に引っ込んだ位置に形成され、底板４６の凹部４６ｋも、側板部４６ｂよりもフロアパネル４０の内側に引っ込んだ位置に形成されている。
【００４４】
そのため、フロアパネル４０の内側に向けて押圧された結合部２５は、側板部４４ｂと側板部４６ｂの外周面（フロアパネル４０の図４中右側端面）よりも図４中左側に引っ込んだ位置に収納される。
【００４５】
すなわち、結合部４５は、フロアパネル４０の側面の高さ中央部に配置されると共に、フロアパネル４０の高さ両端側の側面（側板部４４ｂ，４６ｂの外周面）よりフロアパネル４０の内側に引っ込んだ位置に配置されている。
【００４６】
このため、結合部４５が、その後の周縁部４４ｊ，４６ｊの弾性変形により、フロアパネル４０の水平方向外側（図４中右側）に向けて戻るように変形した場合でも、側板部４４ｂ，４６ｂの外周面（フロアパネル４０の図４中右側端面）よりも水平方向外側（図４中右側）に突出しないようにすることができる。
【００４７】
したがって、天板４４と底板４６を結合する結合部４５が、側板部４４ｂ，４６ｂの外周面より水平方向外側に突出しないため、フロアパネル４０の側面部の寸法精度を向上させることができ、隣接して配置される他のフロアパネル４０等と干渉することを防止することができる。
【００４８】
また、結合部４５が側板部４４ｂ，４６ｂの外周面より水平方向外側に突出しないため、結合部４５が、フロアパネル４０の設置作業時や、その後のメンテナンス作業時に他部材や作業者等に引っ掛かることを防止することができ、その作業性を向上させることができる。
【００４９】
天板４４及び底板４６が、結合部４５において一体的に結合される（図４〜６参照）ことにより、フロアパネル４０は、内部空間４８を有する中空状に形成され、この内部空間４８内には、フロアパネル４０の強度を向上させるために、厚さを有する板状の補強部材５０が収納されて設けられている。
【００５０】
補強部材５０は、天板４４の天板部４４ａと、底板４６の底板部４６ａの間に挟まれて、側板部４４ｂ，４６ｂ、及び凹部４４ｋ，４６ｋに沿うように設けられている。そして、この補強部材５０には、木材を小さな木片に砕いて乾燥させ、接着剤を加えて高温高圧の下で成形したパーティクルボードが用いられている。
【００５１】
フロアパネル４０の天板４４は、図１に示すように、その四隅部には、その平面形状が円形を４分割したような円弧状の接続部４４ｆと、その半径内側に、やはりその平面形状が円形を４分割したような円弧状の段差受面４４ｅが形成されている。
【００５２】
すなわち、天板４４の四隅部それぞれには、図５に示すように、その垂直断面が所定の角度で傾斜するテーパ状となっている接続部４４ｆが形成されていると共に、この接続部４４ｆの下端部から、天板４４の上面４４ｃと平行（水平）で、かつその半径方向に伸びて、上面４４ｃとの間に高さが低い段差を有する段差受面４４ｅが形成されている。
【００５３】
また、図１，２に示すように、フロアパネル４０は、その略正方形の一辺である下辺（図中左右方向に伸びる下側の辺）の側辺部において、その内側に略矩形状に入り込むような開口部４０ａが形成されている。この開口部４０ａは、床下配線をフロアパネル４０上に設置されたＯＡ機器等に接続するために使用されるコンセントボックスを取付ける等のために用いられている。
【００５４】
そして、図６に示すように、フロアパネル４０の開口部４０ａを構成する略コの字状の３つの辺部には、その垂直断面が所定の角度で傾斜するテーパ状の接続部４４ｈと、この接続部４４ｈの下端部から、天板４４の上面４４ｃと平行（水平）で、かつその幅方向に伸びて、上面４４ｃとの間に高さが低い段差を有する段差受面４４ｇが形成されている。この段差受面４４ｇは、フロアパネル４０の開口部４０ａを構成する略コの字状の３つの辺部に沿って形成されている（図１参照）。
【００５５】
そして、この天板４４の段差受面４４ｇ上に、その上面が天板４４の上面４４ｃと略同一平面状になるよう形成された、板状の蓋部材１８（図８参照）の下面を接触させて、フロアパネル４０の開口部４０ａを閉塞するようになっている。
【００５６】
フロアパネル４０は、図５，６に示すように、その天板４４の段差受面４４ｅ，４４ｇと、それらの下方の底板４６の底板部４６ａとの間にも補強部材５０が挟みこまれているため、それらの段差受面４４ｅ，４４ｇの強度を向上させることができて撓み難くなっている。そのため、段差受面４４ｅ，４４ｇの上方から荷重が加えられた際に、段差受面４４ｅ，４４ｇが変形することを防止することができるようになっている。
【００５７】
また、天板４４の段差受面４４ｇの上に載置された蓋部材１８（図８参照）は、その上方から加えられた荷重を、段差受面４４ｇにより支持することができるため、蓋部材１８が変形することを防止することもできるようにもなっている。
【００５８】
フロアパネル４０は、図７に示すように、基礎床面３上に立設する支持脚４２と共にフリーアクセスフロア４１を構成するようになっている。そして、フロアパネル４０を支持する支持脚４２は、パネル調整台５６と脚部５８により構成されている。
【００５９】
支持脚４２のパネル調整台５６は、その軸線部下端側に形成されたメネジ部に、脚部５８の外周部に形成されたオネジ部５８ａをネジ結合した状態で、オネジ部５８ａの螺旋軌跡に沿ってパネル調整台５６を相対回転させることにより、パネル調整台５６の基礎床面３からの高さ位置を調整している。
【００６０】
そして、パネル調整台５６の下端部に形成された、軸線がその半径方向に伸びるメネジ孔に、オネジ部材１５を締め付けることにより、パネル調整台５６を基礎床面３から所望の高さ位置に固定している。
【００６１】
また、パネル調整台５６の支持面５６ａ上に、複数のフロアパネル４０の底面４６ｃの四隅部が１箇所に寄せ集めて突き合わせるように載置されている。そして、フロアパネル４０は、皿ボルト１７のオネジ部１７ｂを、パネル調整台５６の軸線部上端側のメネジ孔５６ｂに締め付けることにより、その天板４４の四隅部の段差受面４４ｅが、皿ボルト１７の皿頭部１７ａにより下方に押え付けられて、パネル調整台５６の支持面５６ａ上に固定されている。
【００６２】
底板４６の底面４６ｃの四隅部には、図２に示すように、天板４４の上面４４ｃ側（図３中上側）に窪んだ半球状の凹部４６ｅが形成されている。そして、底面４６ｃの四隅部がパネル調整台５６の支持面５６ａ上に載置される際に、凹部４６ｅが、支持面５６ａに設けられた半球状の凸部と嵌合することにより、支持脚４２上に載置されるフロアパネル４０の位置決めが簡単にできるようになっている。
【００６３】
したがって、以上に説明したように、本実施の形態に係るフロアパネル４０によれば、その成形加工時に亀裂や破壊が容易に生じるのを防止することができると共に、その寸法精度及び作業性を向上することができる。
【００６４】
なお、本発明は、前記実施の形態にのみ限定されるものではなく、本発明の目的を達成することができる範囲内であれば、フロアパネルの種々の変更が可能である。
【００６５】
例えば、前記実施の形態に係るフロアパネル４０においては、天板４４と底板４６を結合する結合部４５が、フロアパネル４０の側面の高さ方向中央部に形成されていたが、このような位置に限定される必要はなく、フロアパネル４０の側面の高さ途中部の他の位置に形成されていてもよい。
【００６６】
また、前記実施の形態に係るフロアパネル４０においては、天板４４の側板部４４ｂの下端部からフロアパネル４０の内側方向に向かって所定の角度で傾斜する傾斜面を有する接続部４４ｍが形成され、底板４６の側板部４６ｂの上端部からフロアパネル４０の内側方向に向かって所定の角度で傾斜する傾斜面を有する接続部４６ｍが形成されていたが、接続部４４ｍ，４６ｍはこのような形状に限定される必要はない。
【００６７】
例えば、接続部４４ｍ，４６ｍは、側板部４４ｂ，４６ｂと凹部４４ｋ，４６ｋとの間にそれぞれ略直角の段差が形成されるように接続する垂直板状であってもよいし、接続部４４ｍ，４６ｍの傾斜面の垂直断面が円弧状になるように形成されていてもよい。
【００６８】
また、前記実施の形態に係るフロアパネル４０においては、図４に示すように、天板４４の周縁部４４ｊと、底板４６の周縁部４６ｊが、互いを包み込むようにＵ字状に折り曲げ加工されることにより、天板４４と底板４６が結合部４５において結合されていたが、このような折り曲げ方法に限定される必要はなく、例えば、周縁部４４ｊ，４６ｊを折り曲げる回数や長さが異なっていてもよい。
【００６９】
また、前記実施の形態に係るフロアパネル４０は、その内部空間４８内にパーティクルボードを用いた板状の補強部材５０が設置されていたが、その内部空間４８内にはパーティクルボード以外の他の木質材料、又は木質材料以外の材料により形成された補強部材が設置されていてもよいし、何も設置されていなくてもよい。
【００７０】
木質材料の代りにモルタルなどの他の材料により形成された補強部材を用いる場合には、板状に形成された部材の代りに、上側部材４４と下側部材４６により形成したフロアパネル４０の内部空間４８内に、例えば天板部４４ａに開口した孔から流動状の材料を充填して、時間の経過により固化させるようにしてもよい。
【００７１】
また、前記実施の形態に係るフロアパネル４０は、鋼板材を用いて形成されていたが、鋼板材に限定される必要はなく、アルミニウム等の他の材質を用いて形成されていてもよい。
【００７２】
また、図８においては、説明の便宜上、図の中央に置かれた１つの支持脚４が、３枚のフロアパネル２それぞれの隅部を寄せ集めて支持する場合について示してあるが、１つの支持脚４は４枚のフロアパネル２の隅部を寄せ集めて支持することができ、それが本来の支持脚４の使い方であることはいうまでもなく、本実施の形態に係るフロアパネル４０についても同様である。
【符号の説明】
【００７３】
１  フリーアクセスフロア
２  フロアパネル
２ａ  開口部
３  基礎床面
４  支持脚
５  結合部
６  天板
６ａ  天板部
６ｂ  Ｕ字状部
６ｃ  上面
６ｄ  凹部空間
８  底板
８ａ  底板部
８ｂ  側板部
８ｃ  底面
８ｄ  凹部空間
８ｆ  周縁部
１０  内部空間
１２  補強部材
１５  オネジ部材
１７  皿ボルト
１７ａ  皿頭部
１７ｂ  オネジ部
１８  蓋部材
２０  フロアパネル
２０ａ  開口部
２５  結合部
２６  天板
２６ａ  天板部
２６ｂ  側板部
２６ｃ  上面
２６ｄ  凹部空間
２６ｊ  周縁部
２８  底板
２８ａ  底板部
２８ｂ  側板部
２８ｃ  底面
２８ｄ  凹部空間
２８ｊ  周縁部
３０  内部空間
３２  補強部材
４０  フロアパネル
４０ａ  開口部
４１  フリーアクセスフロア
４４  天板
４２  支持脚
４４ａ  天板部
４４ｂ  側板部
４４ｃ  上面
４４ｄ  凹部空間
４４ｅ  段差受面
４４ｆ  接続部
４４ｇ  段差受面
４４ｈ  接続部
４４ｊ  周縁部
４４ｍ  接続部
４４ｋ  凹部
４５  結合部
４６  底板
４６ａ  底板部
４６ｂ  側板部
４６ｃ  底面
４６ｄ  凹部空間
４６ｊ  周縁部
４６ｍ  接続部
４６ｋ  凹部
５０  補強部材
５６  パネル調整台
５６ａ  支持面
５６ｂ  メネジ孔
５８  脚部
５８ａ  オネジ部
【要約】
凹部空間４４ｄ，４６ｄ及び高さのある側面を有する箱状に形成された上側部材４４と下側部材４６を備え、上側部材４４と下側部材４６が、互いの凹部空間４４ｄ，４６ｄを連通させるように上下に組み合わされて、内部に内部空間４８が形成されたフロアパネル４０において、フロアパネル４０は、上側部材４４と下側部材４６の側面の高さ先端部同士が互いを包み込むように折り曲げられて結合された結合部４５を有し、結合部４５は、フロアパネル４０の側面の高さ途中部に配置され、かつフロアパネル４０の高さ両端側の側面よりもフロアパネル４０の内側に引っ込んだ位置に配置された。【図１】
0005754829.tif 000002
【図２】
0005754829.tif 000003
【図３】
0005754829.tif 000004
【図４】
0005754829.tif 000005
【図５】
0005754829.tif 000006
【図６】
0005754829.tif 000007
【図７】
0005754829.tif 000008
【図８】
0005754829.tif 000009
【図９】
0005754829.tif 000010
【図１０】
0005754829.tif 000011
【図１１】
0005754829.tif 000012
【図１２】
0005754829.tif 000013
【図１３】
0005754829.tif 000014
【図１４】
0005754829.tif 000015